(57)【要約】      （修正有）【課題】保持する電力ケーブルの太さが変更された場合であっても、コストをかけることなく効率的に電力ケーブルを保持することができるケーブルブラケット及びそれを備える電気機器を提供する。【解決手段】ケーブルブラケット１０は、配電盤の筐体の壁部に固定されるベース部材１１と、壁部に沿って延びる上下方向での位置を調整可能にベース部材１１に取り付けられ、且つベース部材１１から筐体の内部側に延びる可動部材１２と、可動部材１２の先端部に取り付けられるバンド部材１３と、を備える。バンド部材１３は、環状をなすように結合可能であるとともに環状時の周方向長さが調整可能なバンド本体１４を有する。【選択図】図２
0003197637.tif 000002
【実用新案登録請求の範囲】
【請求項１】
電気機器の電力ケーブルを保持するためのケーブルブラケットであって、
前記電気機器の筐体の壁部に固定されるベース部材と、
前記壁部に沿って延びる一方向での位置を調整可能に前記ベース部材に取り付けられ、且つ前記ベース部材から前記筐体の内部側に延びる可動部材と、
前記可動部材の先端部に取り付けられるバンド部材と、を備え、
前記バンド部材は、環状をなすように結合可能であるとともに環状時の周方向長さが調整可能なバンド本体を有する、ことを特徴とするケーブルブラケット。
【請求項２】
前記バンド本体は、一端部および他端部の間の中間部を前記可動部材に取り付けられており、
前記バンド部材は、前記バンド本体の前記他端部に設けられ、前記バンド本体の前記一端部と前記中間部との間の部分を掛止するバックル部材をさらに有し、
前記バックル部材は、前記一端部と前記中間部との間の部分を位置調整可能に掛止する、ことを特徴とする請求項１に記載のケーブルブラケット。
【請求項３】
前記可動部材の先端部には、前記ベース部材側に凸となる円弧状の取付面が形成され、前記取付面に、前記バンド本体が取り付けられている、ことを特徴とする請求項１又は２に記載のケーブルブラケット。
【請求項４】
前記ベース部材は、上下方向に延びる前記壁部に固定され、
前記可動部材は、上下方向での位置を調整可能に前記ベース部材に取り付けられており、
前記バンド本体は、上下方向に開放する環状をなすように結合する、ことを特徴とする請求項１乃至３のいずれかに記載のケーブルブラケット。
【請求項５】
請求項１乃至４のいずれかに記載のケーブルブラケットを備える、ことを特徴とする電気機器。
【請求項６】
当該電気機器は、配電盤である、ことを特徴とする請求項５に記載の電気機器。
【考案の詳細な説明】
【技術分野】
【０００１】
本考案の実施の形態は、ケーブルブラケット及びそれを備える電気機器に関する。
【背景技術】
【０００２】
電気機器の受配電用の電力ケーブルは、電気機器の外部で湾曲状態に曲げられて機器内部に引き込まれ、その後、所望の装置に接続される場合がある。配電盤等の大型の電気機器の電力ケーブルは、一般的に、太く、反発力が強い。そのため、大型の電気機器用の電力ケーブルは、上述のように機器外部で湾曲状態に曲げられて機器内部に引き込まれる場合に、機器内部において非湾曲状態に復帰することが防止されるように保持されることがある。
【０００３】
例えば、配電盤の電力ケーブルは、上述のように湾曲状態に曲げられて配電盤内部に引き込まれる場合に、一般的に、配電盤筐体の壁部内面に固定されたケーブルブラケットによって保持され、非湾曲状態に復帰することが防止されている。
【０００４】
図６は、従来のケーブルブラケットの一例を示している。図６に示すケーブルブラケットは、壁部に固定される金属製のブラケット本体１００と、ブラケット本体１００に着脱可能に取り付けられる環状のゴムスペーサ１０１と、を有する。このケーブルブラケットは、ブラケット本体１００が壁部に固定された状態において、ゴムスペーサ１０１の内周側に電力ケーブルを通すことにより、電力ケーブルを保持する。
【考案の概要】
【考案が解決しようとする課題】
【０００５】
ところで、上述のように湾曲状態に曲げられる電力ケーブルが図６に示す従来のケーブルブラケットによって保持される場合には、ケーブルブラケットは、電力ケーブルの太さに応じて、適宜、サイズが選定されて使用される。具体的には、ブラケット本体の壁部からの張り出し長さ及び／又はゴムスペーサの内径寸法が選定され、所望のサイズのケーブルブラケットが使用される。
【０００６】
しかしながら、このようなケーブルブラケットでは、配電盤等に設けられた後、負荷変更等により既設の電力ケーブルの太さが変更になった場合に、都度、ブラケット本体及び／又はゴムスペーサを交換する必要が生じ得る。そのため、部品の交換に関するコストが嵩む場合がある。
【０００７】
例えば、電力ケーブルの太さが変更され、当該ケーブルの曲げ半径が大きくなった場合には、ケーブルブラケットと壁部との固定位置が変わらないことにより、電力ケーブルとケーブルブラケットの保持位置（ゴムスペーサの位置）とが大きくずれる場合がある。このような場合に、電力ケーブルを保持することが困難となり、ケーブルブラケット全体を交換する必要が生じる。その結果、コストが嵩む。また、交換の作業が必要となるため、電力ケーブルの保持作業の効率が低下するという問題もある。
【０００８】
また、上述の従来のケーブルブラケットは、ブラケット本体にゴムスペーサが着脱可能に取り付けられる構成であり、現場では、まずゴムスペーサに電力ケーブルが通され、その後、ゴムスペーサがブラケット本体に取り付けられる。このような作業は、手間がかかる。特に、上述のように交換の必要性が生じた際に、配電盤の筐体の内部等の狭い空間において上記の取付作業を行う場合には、非常に手間がかかってしまう。
【０００９】
本考案はこのような事情に鑑みてなされたものであり、保持する電力ケーブルの太さが変更された場合であっても、コストをかけることなく効率的に電力ケーブルを保持することができるケーブルブラケット及びそれを備える電気機器を提供することを目的とする。
【課題を解決するための手段】
【００１０】
実施の形態によるケーブルブラケットは、電気機器の電力ケーブルを保持するためのケーブルブラケットである。このケーブルブラケットは、前記電気機器の筐体の壁部に固定されるベース部材と、前記壁部に沿って延びる一方向での位置を調整可能に前記ベース部材に取り付けられ、且つ前記ベース部材から前記筐体の内部側に延びる可動部材と、前記可動部材の先端部に取り付けられるバンド部材と、を備えている。前記バンド部材は、環状をなすように結合可能であるとともに環状時の周方向長さが調整可能なバンド本体を有している。
【００１１】
また、実施の形態による電気機器は、前記のケーブルブラケットを備える、ことを特徴とする。
【考案の効果】
【００１２】
本考案によれば、保持する電力ケーブルの太さが変更された場合であっても、コストをかけることなく効率的に電力ケーブルを保持することができる。
【図面の簡単な説明】
【００１３】
【図１】実施の形態にかかるケーブルブラケットを備える配電盤の一部の縦断面図である。
【図２】図１に示すケーブルブラケットの側面図である。
【図３】図１に示すケーブルブラケットの上面図である。
【図４】図１に示すケーブルブラケットの可動部材の位置調整の様子を説明する図である。
【図５】図１に示すケーブルブラケットのバンド部材の周方向長さの調整の様子を説明する図である。
【図６】従来のケーブルブラケットの上面図である。
【考案を実施するための形態】
【００１４】
以下に、添付の図面を参照して、実施の形態について詳細に説明する。
【００１５】
図１には、本実施の形態にかかるケーブルブラケット１０を備える配電盤１（電気機器）の一部の縦断面図が示されている。なお、説明の便宜上、ケーブルブラケット１０は、断面で示されていない。配電盤１は、各種装置を収容する筐体２を備えている。筐体２は、設置面Ｆに載せられる底部２Ｄと、底部２Ｄから上方に延びる壁部２Ｗと、を有している。底部２Ｄには、電力ケーブル２０を筐体２の内部に引き込むための開口部４が形成されている。
【００１６】
開口部４の下方には、電力ケーブル２０を通すための水平方向に延びる通し空間Ｓが形成されている。電力ケーブル２０は、通し空間Ｓから開口部４に向けて湾曲状態に曲げられて配電盤１の筐体２の内部に引き込まれ、その後、筐体２の内部で上下方向に沿って延びるように配置されている。
【００１７】
本実施の形態のケーブルブラケット１０は、筐体２の壁部２Ｗの内面下部に固定されており、配電盤１の内部に引き込まれた電力ケーブル２０が湾曲状態から非湾曲状態に復帰しないように電力ケーブル２０を保持している。なお、図示の例では、ケーブルブラケット１０によって保持される電力ケーブル２０が単層ケーブルとなっている。
【００１８】
図２は、ケーブルブラケット１０の側面図であり、図３は、ケーブルブラケット１０の上面図である。図１乃至図３に示すように、ケーブルブラケット１０は、壁部２Ｗに固定されるベース部材１１と、壁部２Ｗに沿って延びる上下方向での位置を調整可能にベース部材１１に取り付けられ、且つベース部材１１から筐体２の内部側（水平方向）に延びる可動部材１２と、可動部材１２の先端部に取り付けられるバンド部材１３と、を備えている。
【００１９】
本実施の形態のベース部材１１は、板状に形成され、その内部に空間１１Ａが形成されている。図２および図３に示すように、ベース部材１１のうちの空間１１Ａを基準に可動部材１２側に位置する板部分には、水平方向に並ぶ一対の高さ調整用貫通孔１１Ｂが、上下方向に所定の間隔を空けて複数形成されている。各高さ調整用貫通孔１１Ｂは、空間１１Ａに連通している。各高さ調整用貫通孔１１Ｂの空間１１Ａ側の外周縁部には、ナット１１Ｃが溶接等によって固定されている。
【００２０】
可動部材１２は、ベース部材１１に当接されるフランジ部１２Ａと、フランジ部１２Ａのベース部材１１に当接される面とは反対側の面の中央領域から突出するブリッジ部１２Ｂと、を有している。このうち、フランジ部１２Ａの両端部のそれぞれに、ボルト貫通孔１２Ｃが形成されている。可動部材１２は、複数の高さ位置で水平方向に並ぶ一対の貫通孔１１Ｂの中から選択された所望の高さ位置の一対の貫通孔１１Ｂのそれぞれに対し、ボルト貫通孔１２Ｃを通されたボルト３０を締結することにより、ベース部材１１に取り付けられている。これにより、可動部材１２は、上下方向での位置を調整可能にベース部材１１に取り付けられている。
【００２１】
図３に示すように、本実施の形態のバンド部材１３は、一端部１４Ａおよび他端部１４Ｂの間の中間部１４Ｃを可動部材１２に一体的に取り付けられ、環状をなすように結合可能であるとともに環状時の周方向長さが調整可能なバンド本体１４と、このバンド本体１４の他端部１４Ｂに設けられ、バンド本体１４の一端部１４Ａと中間部１４Ｃとの間の部分を掛止するバックル部材１５と、を有している。図３においては、バンド本体１４が環状をなしており、上下方向に開放した状態が示されている。
【００２２】
この例では、可動部材１２の先端部、すなわちブリッジ部１２Ｂの先端部に、ベース部材１１側に凸となる円弧状の取付面１２Ｄが形成されている。この取付面１２Ｄに、バンド本体１４の中間部１４Ｃが取り付けられている。そのため、バンド本体１４を固定するための取付面１２Ｄの面積が広く確保されることにより、バンド本体１４と可動部材１２との固定状態が安定するようになっている。
【００２３】
上述のバックル部材１５は、バンド本体１４の一端部１４Ａと中間部１４Ｃとの間の部分を位置調整可能に掛止する。つまり、バックル部材１５は、バンド本体１４の一端部１４Ａと中間部１４Ｃとの間の部分の長手方向の所望の位置を掛止することが可能となっている。これにより、本実施の形態のバンド本体１４は、開放した状態（図５（Ａ）参照）から、バックル部材１５によって環状（図３又は図５（Ｂ）参照）をなすように結合可能であるとともに環状時の周方向長さが調整可能となっている。
【００２４】
なお、上述の「周方向長さ」とは、環状時のバンド本体１４において任意に設定されたた始点から周回して終点に至るまでの長さを意味する。また、バックル部材１５としては、例えば、ピン状の留め金をバンド本体１４に形成された孔に通して、バンド本体１４を環状に結合するバックル等が用いられ得る。
【００２５】
次に、本実施の形態の作用について説明する。
【００２６】
図１に示すようにケーブルブラケット１０によって電力ケーブル２０を保持する際には、まず、ケーブルブラケット１０のベース部材１１が壁部２Ｗに固定される。次に、バンド部材１３が一体的に取り付けられた可動部材１２が、ベース部材１１に取り付けられる。この際、通し空間Ｓから開口部４に向けて湾曲状態に曲げられて筐体２の内部に引き込まれる電力ケーブル２０をバンド部材１３によって適切に保持可能な位置に、可動部材１２の位置が調整される。そして、環状をなす前の状態のバンド部材１３のバンド本体１４の内側に電力ケーブル２０が配置される。その後、バンド本体１４が環状をなすように結合され、そして周方向長さが調整される。これにより、電力ケーブル２０がケーブルブラケット１０によって保持される。
【００２７】
上述のようにして電力ケーブル２０が保持された後、電力ケーブル２０の太さが変更される場合がある。電力ケーブル２０の太さが変更されて、例えば、電力ケーブル２０の曲げ半径が大きくなった場合には、ケーブルブラケット１０と壁部２Ｗとの固定位置が最初の設定のままであると、電力ケーブル２０とケーブルブラケット１０の保持位置（バンド部材１３の位置）とが大きくずれる場合がある。
【００２８】
このような場合に、本実施の形態のケーブルブラケット１０によれば、例えば、図４に示すように、電力ケーブル２０をバンド部材１３によって適切に保持可能な位置に、可動部材１２の位置を調整することができる。そして、図５（Ａ）に示すように、環状をなす前の状態のバンド本体１４の内側に電力ケーブル２０を配置することができる。その後、図５（Ｂ）に示すように、バンド本体１４を環状に結合して、変更された電力ケーブル２０の太さに応じて、その周方向長さを調整することができる。これにより、電力ケーブル２０の太さが変更された場合であっても、変更後の電力ケーブルを適切に保持することができる。
【００２９】
上述のように本実施の形態のケーブルブラケット１０が用いられる場合には、まず、バンド部材１３が可動部材１２に一体的に取り付けられ、バンド部材１３では、そのバンド本体１４が環状をなす前の状態において開放している。そのため、バンド部材１３を可動部材１２から取り外さなくても、電力ケーブル２０を保持できる構成となっている。これにより、図６に説明した従来のケーブルブラケットでは必要であったブラケット本体１００とゴムスペーサ１０１とを取り付けるような作業が不要となるため、電力ケーブル２０を効率的に保持することができる。
【００３０】
また、保持する電力ケーブル２０の太さが変更され、例えば電力ケーブル２０の曲率半径が変更された場合であっても、可動部材１２の位置を調整するとともにバンド部材１３のバンド本体１４の周方向長さを調整することにより、変更後の電力ケーブル２０を適切に保持することができる。この際に、部品の交換の必要がないため、コストをかけることなく効率的に電力ケーブル２０を保持することができる。
【００３１】
したがって、本実施の形態によれば、保持する電力ケーブル２０の太さが変更された場合であっても、コストをかけることなく効率的に電力ケーブル２０を保持することができる。
【００３２】
以上、本考案の実施の形態を説明したが、上記の実施の形態は、例として提示したものであり、考案の範囲を限定することは意図していない。この新規な実施の形態は、その他の様々な形態で実施されることが可能であり、考案の要旨を逸脱しない範囲で、種々の省略、置き換え、変更を行うことができる。この実施の形態やその変形は、考案の範囲や要旨に含まれるとともに、実用新案請求の範囲に記載された考案とその均等の範囲に含まれる。
【００３３】
例えば、上述の実施の形態では、ケーブルブラケット１０が配電盤１に適用されたが、ケーブルブラケット１０が適用される電気機器は、分電盤や、変圧器等であってもよい。
【００３４】
また、上述の実施の形態では、電力ケーブル２０が配電盤１の下方から配電盤１の内部に引き込まれる例を説明したが、電力ケーブル２０は、例えば、上方から配電盤１の内部に引き込まれてもよい。この場合、ケーブルブラケット１０は、筐体の上部側に固定されてもよい。また、上述の実施の形態では、電力ケーブル２０が単層ケーブルであるが、ケーブルブラケット１０は、三層ケーブルを保持するために用いられてもよい。
【符号の説明】
【００３５】
１  配電盤
２  筐体
２Ｄ  底部
２Ｗ  壁部
４  開口部
１０  ケーブルブラケット
１１  ベース部材
１１Ａ  空間
１１Ｂ  高さ調整用貫通孔
１２  可動部材
１２Ａ  フランジ部
１２Ｂ  ブリッジ部
１２Ｃ  ボルト貫通孔
１２Ｄ  取付面
１３  バンド部材
１４  バンド本体
１４Ａ  一端部
１４Ｂ  他端部
１４Ｃ  中間部
１５  バックル部材
２０  電力ケーブル
３０  ボルト
１００  ブラケット本体
１０１  ゴムスペーサ
Ｆ  設置面
Ｓ  通し空間
【図１】
0003197637.tif 000003
【図２】
0003197637.tif 000004
【図３】
0003197637.tif 000005
【図４】
0003197637.tif 000006
【図５】
0003197637.tif 000007
【図６】
0003197637.tif 000008